(57)【要約】【課題】安価な構成で原稿サイズを検出することができる画像読取装置を提供する。【解決手段】画像読取装置は、原稿を載置する載置台と、開閉可能であり、載置台に載置された原稿を押さえる原稿押さえと、原稿押さえの開閉角度を検知する光センサと、原稿押さえの開閉角度を異ならせて、載置台に載置された原稿のサイズの検出を複数回行う原稿サイズ検出手段とを備える。ここで、原稿サイズ検出手段は、光センサの受光部により検出された光量が所定の量よりも少なくなると（Ｓ１２において、ＹＥＳ）、一回目の原稿サイズの検出を行い（Ｓ１３）、所定の量よりも多くなると（Ｓ１４において、ＹＥＳ）、二回目の原稿サイズの検出を行う（Ｓ１５）。【選択図】図６
2008219339.tif 000002
【特許請求の範囲】
【請求項１】
原稿を載置する載置台と、
開閉可能であり、前記載置台に載置された原稿を押さえる原稿押さえと、
前記原稿押さえの開閉角度を検知する光センサと、
前記原稿押さえの開閉角度を異ならせて、前記載置台に載置された原稿のサイズの検出を複数回行う原稿サイズ検出手段とを備え、
前記原稿サイズ検出手段は、前記光センサの検知結果に応じて、前記原稿のサイズを検出する、画像読取装置。
【請求項２】
前記光センサは、所定の領域に光を発する発光部と、前記所定の領域の光量を検出する受光部と、前記原稿押さえに連動して前記所定の領域を移動する遮光板とを含み、
前記原稿サイズ検出手段は、前記受光部によって検出された光量に応じて、前記原稿のサイズを検出する、請求項１に記載の画像読取装置。
【請求項３】
前記原稿サイズ検出手段は、前記受光部により検出された前記光量が所定の量よりも少なくなると、一回目の原稿サイズの検出を行い、前記所定の量よりも多くなると、二回目の原稿サイズの検出を行う、請求項２に記載の画像読取装置。
【請求項４】
前記原稿サイズ検出手段は、前記受光部により検出された前記光量が所定の量よりも多くなると、一回目の原稿サイズの検出を行い、前記所定の量よりも少なくなると、二回目の原稿サイズの検出を行う、請求項２に記載の画像読取装置。
【請求項５】
前記受光部および前記発光部の少なくともいずれか一方と、前記遮光板とは、非接触である、請求項２〜４のいずれかに記載の画像読取装置。
【請求項６】
前記遮光板には、前記遮光板の移動方向に付勢する弾性部材が設けられている、請求項２〜５のいずれかに記載の画像読取装置。
【請求項７】
前記原稿サイズ検出手段は、前記載置台の下部から光を照射し、前記載置台の各位置における反射光量を測定することにより前記原稿のサイズを検出する、請求項１〜６のいずれかに記載の画像読取装置。
【請求項８】
請求項１〜７のいずれかに記載の画像読取装置を含む、画像形成装置。
【発明の詳細な説明】
【技術分野】
【０００１】
この発明は、画像読取装置および画像形成装置に関し、特に、載置台に載置された原稿のサイズを検出する原稿サイズ検出機構を備える画像読取装置およびこのような画像読取装置を備える画像形成装置に関するものである。
【背景技術】
【０００２】
画像形成装置に備えられる画像読取装置には、載置台に載置された原稿のサイズを検出する原稿サイズ検出機構が設けられているものがある。ここで、一般的な原稿サイズ検出機構について簡単に説明する。まず、載置台となるプラテンガラス上に載置され、原稿押さえによって押さえられた原稿に対して、プラテンガラス越しに内部の光源から光を当てる。そして、載置台上の各位置における反射光の強度を測定することにより、載置された原稿のエッジの位置を識別し、これにより原稿のサイズを検出する。載置台に載置された原稿サイズを正確に検出するためには、原稿サイズを複数回検出する必要がある。
【０００３】
原稿サイズを複数回検出する原稿サイズ検出機構を備えた画像読取装置に関する技術が、特開平１１−２０５５４７号公報（特許文献１）および特開２００１−２１７９９８号公報（特許文献２）に開示されている。特許文献１によると、原稿押さえの裏面に、液晶により構成した変色スクリーンを設けている。そして、この変色スクリーンの色を変化させて原稿サイズを複数回検出している。このようにして、黒縁原稿等、原稿と原稿外との濃度差が生じにくく、原稿サイズを検出することが困難な原稿に対して、原稿サイズを検出するようにしている。また、特許文献２によると、複数の異なる原稿サイズ検知手段によって、原稿サイズを複数回検出し、これらの検知結果から好適な検知結果を選択して、原稿サイズを決定している。このようにして、原稿サイズを検出するようにしている。
【特許文献１】特開平１１−２０５５４７号公報
【特許文献２】特開２００１−２１７９９８号公報
【発明の開示】
【発明が解決しようとする課題】
【０００４】
特許文献１に開示の技術においては、原稿サイズを複数回検出するに際して、原稿押さえの裏面に変色スクリーンが必要となる。一般的には、このような変色スクリーンは高価であるため、特許文献１に示す画像読取装置を安価に構成することができない。また、特許文献２に示す技術においても、複数の原稿サイズ検知機構が必要となるため、安価に構成することが困難となる。
【０００５】
この発明の目的は、安価な構成で原稿サイズを検出することができる画像読取装置を提供することである。
【０００６】
この発明の他の目的は、容易に原稿サイズに応じた画像を形成することができる画像形成装置を提供することである。
【課題を解決するための手段】
【０００７】
この発明に係る画像読取装置は、原稿を載置する載置台と、開閉可能であり、載置台に載置された原稿を押さえる原稿押さえと、原稿押さえの開閉角度を検知する光センサと、原稿押さえの開閉角度を異ならせて、載置台に載置された原稿のサイズの検出を複数回行う原稿サイズ検出手段とを備える。ここで、原稿サイズ検出手段は、光センサの検知結果に応じて、原稿のサイズを検出する。
【０００８】
好ましくは、光センサは、所定の領域に光を発する発光部と、所定の領域の光量を検出する受光部と、原稿押さえに連動して所定の領域を移動する遮光板とを含み、原稿サイズ検出手段は、受光部によって検出された光量に応じて、原稿のサイズを検出する。
【０００９】
さらに好ましくは、原稿サイズ検出手段は、受光部により検出された光量が所定の量よりも少なくなると、一回目の原稿サイズの検出を行い、所定の量よりも多くなると、二回目の原稿サイズの検出を行う。
【００１０】
また、原稿サイズ検出手段は、受光部により検出された光量が所定の量よりも多くなると、一回目の原稿サイズの検出を行い、所定の量よりも少なくなると、二回目の原稿サイズの検出を行うようにしてもよい。
【００１１】
さらに好ましくは、受光部および発光部の少なくともいずれか一方と、遮光板とは、非接触である。
【００１２】
さらに好ましくは、遮光板には、遮光板の移動方向に付勢する弾性部材が設けられている。
【００１３】
さらに好ましくは、原稿サイズ検出手段は、載置台の下部から光を照射し、載置台の各位置における反射光量を測定することにより原稿のサイズを検出する。
【００１４】
この発明の他の局面においては、画像形成装置は、上記したいずれかの画像読取装置を備える。
【発明の効果】
【００１５】
この発明によると、原稿押さえの開閉角度を異ならせて原稿サイズを複数回検出する際に、光センサによって原稿押さえの開閉角度を検知することができる。そうすると、光センサによって検知された原稿押さえの開閉角度に応じて、原稿サイズを複数回検出することができる。したがって、原稿サイズを複数回検出する際に、変色機構や複数のサイズ検出機構等、複雑な構成を要することはなく、安価に構成することができる。
【００１６】
また、この発明に係る画像形成装置は、安価な構成で原稿サイズを検出することができる画像読取装置を備えている。したがって、容易に原稿サイズに応じた画像を形成することができる。
【発明を実施するための最良の形態】
【００１７】
以下、この発明の実施の形態を図面を参照して説明する。図１はこの発明の一実施形態に係る画像形成装置を、デジタル複合機１０に適用した場合のデジタル複合機１０の構成を示すブロック図である。図１を参照して、デジタル複合機１０は、デジタル複合機１０全体を制御する制御部１１と、画像データ等の書き込みや読出しを行うためのＤＲＡＭ１２と、デジタル複合機１０の有する情報を表示する表示部を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置でスキャナで読取る画像読取り部１５と、画像読取り部１５で読取られた原稿等からその画像を形成する画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。また、デジタル複合機１０は、載置台に載置された原稿の画像を読取る画像読取装置２３を備える。
【００１８】
制御部１１は、画像読取り部１５および画像読取装置２３から与えられる原稿データをＤＲＡＭ１２に圧縮符号化して書き込み、ＤＲＡＭ１２に書き込んだデータを読出し、伸張符号化して画像形成部１６により出力する。
【００１９】
デジタル複合機１０は、画像読取り部１５および画像読取装置２３により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンターとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５および画像読取装置２３により読取られた原稿の画像データを、ＦＡＸ通信部１８を通じて公衆回線２０に画像データを送信することにより、ファクシミリ装置として作動する。
【００２０】
なお、図１において太線の矢印は画像データの流れを示しており、細線の矢印は制御信号または制御データの流れを示している。
【００２１】
次に、デジタル複合機１０に備えられる画像読取装置２３の具体的な構成について説明する。図２は、デジタル複合機１０に備えられる画像読取装置２３をデジタル複合機１０の上方向から見た概略図である。図３は、図２に示す画像読取装置２３を横方向から見た概略図である。図３では、原稿押さえが開いた状態を示している。図２および図３を参照して、画像読取装置２３は、原稿Ｐを載置する載置台２４と、開閉可能であって、載置台２４に載置された原稿Ｐを押さえる原稿押さえ２５と、載置台２４に載置された原稿Ｐの画像を読取るとともに、原稿Ｐのサイズを検出する光学ユニット２６とを含む。原稿押さえ２５の裏面、すなわち、原稿Ｐに対向する面である原稿押さえ面２８は、白色である。なお、図２中の一点鎖線で示される部分は、原稿押さえ２５が完全に閉じられた状態における原稿押さえ２５の位置を表している。
【００２２】
載置台２４は、透明のプラテンガラスにより構成されており、その上方に原稿Ｐを載置することができる。載置台２４の下部には、光学ユニット２６が設けられている。光学ユニット２６は、図２中の二点鎖線で示す光源と、いずれも図示しない複数のミラーと、レンズと、ＣＣＤ（Ｃｈａｒｇｅ  Ｃｏｕｐｌｅｄ  Ｄｅｖｉｃｅ）イメージセンサとを含む。光源は、副走査方向、すなわち、図２中の矢印Ａの方向またはその逆の方向に移動可能である。
【００２３】
ここで、光学ユニット２６によって、原稿Ｐの画像を読取る方法について、簡単に説明する。光源を副走査方向に移動させながら、載置台２４に対して矢印Ｃの方向に光を照射する。照射された光は、原稿Ｐに当たって反射する。その反射光は、複数のミラーおよびレンズによって集光される。この集光された光を、ＣＣＤイメージセンサで読取ることにより、原稿Ｐの画像データを読み取る。ここで、光学ユニット２６は、画像読取手段として作動する。
【００２４】
次に、光学ユニット２６によって、載置台２４に載置された原稿Ｐのサイズを検出する方法について、簡単に説明する。原稿押さえ２５が上方に位置する状態において、上記した画像を読取る方法と同様に、光源を副走査方向に移動させながら、載置台２４に対して光を照射する。その後、載置台２４の各位置における反射光量を測定する。測定された反射光量から、原稿Ｐのエッジ部分を識別して、原稿Ｐのサイズを検出する。ここで、制御部１１および光学ユニット２６は、原稿サイズ検出手段として作動する。この場合、原稿押さえ２５の角度を異ならせて複数回原稿サイズの検出を行うことにより、正確に原稿サイズを検出することができる。なお、光学ユニット２６により読取り可能な原稿の画像および検出可能な原稿のサイズの範囲は、図２中の点線で示された範囲内である。一般的な原稿は、点線で囲まれた範囲内に載置することが可能である。
【００２５】
原稿押さえ２５は、止め具２７によって、載置台２４の後方部分に取り付けられている。原稿押さえ２５は、上下方向、すなわち、図３中の矢印Ｂの方向またはその逆の方向に開閉可能であり、前方部分を開閉して、原稿押さえ２５の開閉角度θを異ならせることができる。この場合、原稿押さえ２５の開閉角度θは、載置台２４の表面と原稿押さえ面２８とのなす角度としている。
【００２６】
載置台２４の後方部分には、原稿押さえ２５の開閉運動に連動して上下方向に移動可能な棒状部材３１が設けられている。ここで、棒状部材３１の構成について説明する。図４は、図３中のＩＶで示す部分の概略斜視図である。また、図５は、図４に示す部分を図４中の矢印Ｄで示す上方向から見た図である。図２〜図５を参照して、棒状部材３１は、原稿押さえ２５によって、その上方端部３９ａを矢印Ｄの方向、すなわち、下方向に押されることにより、下方向へ移動する。棒状部材３１の下方端部３９ｂには、矢印Ｄと逆の方向、すなわち、上方向に付勢する弾性部材としてのコイルバネ３６が取付け部３８を介して設けられている。このコイルバネ３６の付勢力により、棒状部材３１は、上方向へ移動する。このようにして、棒状部材３１は、原稿押さえ２５に連動して、上下方向に移動可能に構成されている。この場合、棒状部材３１はコイルバネ３６により上方向に付勢されているため、棒状部材３１が一気に下方向に落下したり、下側に止まった状態となることはない。なお、棒状部材３１が上下方向に真直ぐに移動できるように、ガイド部３７によって案内されている。
【００２７】
また、画像読取装置２３は、原稿押さえ２５の開閉角度を検知する光センサ３２を備える。光センサ３２は、光を発する発光素子３５ａを有する発光部３４ａと、光を受光する受光素子３５ｂを有する受光部３４ｂと、原稿押さえ２５に連動して所定の領域を移動可能な遮光板３３とを含む。所定の領域、ここでは、発光部３４ａと受光部３４ｂとの間に形成される領域において、発光素子３５ａは受光素子３５ｂに対して矢印Ｅの方向に光を照射している。受光部３４ｂは、受光素子３５ｂにより受光した光量を検出する。このようにして、光センサ３２は、所定の領域の光量を検出する。
【００２８】
遮光板３３は、取付け部３８を介して棒状部材３１の側部に設けられている。遮光板３３は、原稿押さえ２５に連動して、所定の領域を上下方向に移動する。すなわち、原稿押さえ２５が閉じられていくと、棒状部材３１が下方向に移動し、これに連動して遮光板３３は、所定の領域を下側に移動する。また、原稿押さえ２５が開けられていくと、コイルバネ３６により棒状部材３１が上方向に移動し、これに連動して遮光板３３は、所定の領域を上側に移動する。ここで、遮光板３３と発光部３４ａおよび受光部３４ｂとは、非接触となるように構成されている（図５参照）。
【００２９】
遮光板３３は、原稿押さえ２５が開いた状態のとき、発光部３４ａから発光される光を遮光しない。また、原稿押さえ２５の開閉角度が所定の角度αのとき、所定の領域において受光部３４ｂが受光する光量が所定の光量よりも少なくなるように発光部３４ａからの光を遮光する。原稿押さえ２５の開閉角度が角度αよりも小さい所定の角度βのとき、遮光板３３は発光部３４ａから発光される光を遮光しない。遮光板３３が発光部３４ａから発光される光を遮光しないとき、所定の領域において受光部３４ｂが受光する光量は、所定の光量よりも多くなる。このような位置に、遮光板３３は設けられている。
【００３０】
次に、画像読取装置２３によって、原稿押さえ２５の開閉角度を異ならせて、載置台２４に載置された原稿Ｐのサイズを複数回検出する方法について説明する。図６は、この場合における制御部１１の動作を示すフローチャートである。
【００３１】
図１〜図６を参照して、まず、載置台２４上の点線で囲まれた範囲内に、原稿Ｐが載置され（図６において、ステップＳ１１、以下、ステップを省略する）、原稿押さえ２５が開いた状態から矢印Ｂの方向に向かって閉じられる。
【００３２】
原稿押さえ２５が閉じられていき、原稿押さえ２５の開閉角度が狭くなっていくに従い、棒状部材３１および遮光板３３が下方向に移動する。そして、遮光板３３は、所定の領域において発光部３４ａからの光を徐々に遮る。そうすると、受光部３４ｂの受光する光量が、徐々に少なくなる。その後、原稿押さえ２５の開閉角度が、所定の角度αとなる。
【００３３】
図７は、この場合における画像読取装置を示す概略図であり、図３に対応する。また、図８は、図７中のＶＩＩＩで示す部分の拡大図である。図１〜図８を参照して、原稿押さえ２５が、図７に示すように所定の角度αまで閉じられ、図８に示すように発光部３４ａからの光を遮ると、受光部３４ｂが検出する光量が所定の量よりも少なくなる（Ｓ１２において、ＹＥＳ）。そうすると、光センサ３２によって原稿押さえ２５の開閉角度が所定の角度αに達したことを検知する。ここで、一回目の原稿サイズの検出を行う（Ｓ１３）。原稿サイズの検出は、上記した原稿サイズ検出手段を作動させることにより行う。この場合、原稿押さえ２５の開閉角度が所定の角度αとなり、ある程度閉じられた状態における原稿サイズの検出となる。
【００３４】
一回目の原稿サイズの検出が終了した後、原稿押さえ２５がさらに閉じられていく。そうすると、遮光板３３がさらに下方向に移動し、遮光板３３が発光部３４ａからの光を遮る位置を通過する。そして、再び受光部３４ｂが受光する光量が増加する。その後、原稿押さえ２５の開閉角度は、所定の角度βとなる。
【００３５】
図９は、この場合における画像読取装置を示す概略図であり、図３および図７に対応する。また、図１０は、図９中のＸで示す部分の拡大図であり、図８に対応する。図１〜図１０を参照して、受光部３４ｂが検出する光量が所定の量よりも多くなる（Ｓ１４において、ＹＥＳ）と、光センサ３２によって原稿押さえ２５の開閉角度が所定の角度βに達したことを検知する。ここで、二回目の原稿のサイズの検出を行う（Ｓ１５）。この二回目の原稿サイズの検出についても、上記した原稿サイズ検出手段を作動させることにより行う。この場合、原稿押さえ２５が、図７に示す状態よりもさらに閉じられた状態における原稿サイズの検出となる。
【００３６】
その後、一回目および二回目に検出された原稿サイズにより、原稿サイズを確定する（Ｓ１６）。このようにして、正確に原稿サイズを検出する。最後に、検出された原稿サイズに応じて、原稿Ｐの画像データを読取る（Ｓ１７）。
【００３７】
なお、このようにして読取られた画像データを基にして、上記したように、デジタル複合機１０は、画像を形成する。
【００３８】
このように構成することにより、原稿押さえ２５の開閉角度を異ならせて原稿サイズを複数回検出する際に、光センサ３２によって原稿押さえ２５の開閉角度を検知することができる。ここでは、原稿押さえ２５の開閉角度が所定の角度α、βに達したことを光センサ３２によって検知し、所定の角度α、βに応じて一回目および二回目の原稿サイズの検出を行うことができる。そうすると、光センサ３２によって検出された原稿押さえ２５の開閉角度に応じて、原稿サイズを複数回検出することができる。また、このような光センサ３２は、比較的安価な遮光板３３や発光部３４ａ、受光部３４ｂ等で構成することができる。したがって、原稿サイズを複数回検出する際に、変色機構や複数のサイズ検出機構等、複雑な構成を要することはなく、安価に構成することができる。
【００３９】
また、このような画像読取装置２３を備えるデジタル複合機１０は、安価な構成で原稿サイズを検出することができるため、容易に、上記した画像形成部１６等によって、原稿サイズに応じた画像を形成することができる。
【００４０】
この場合、遮光板３３と発光部３４ａおよび受光部３４ｂとは、非接触であるため、接触による光センサ３２の破損、受光部３４ｂの検出面の汚染等を防止することができる。したがって、より正確に光センサ３２による原稿押さえ２５の開閉角度の検知を行うことができる。
【００４１】
さらに、遮光板３３には、遮光板３３の移動方向に弾性を有するコイルバネ３６が設けられているため、遮光板３３の上下方向の移動に際し、遮光板３３を適切な位置とすることができる。したがって、より確実に光センサ３２による開閉角度の検出を行うことができる。この場合、コイルバネ３６の他に弾性部材としてゴム等を用いても構わない。
【００４２】
また、原稿サイズ検出手段は、画像読取りに使用する光学ユニット２６を用いて、載置台２４の下方側から光を照射し、載置台２４の各位置における反射光量を測定することにより原稿のサイズを検出するため、複雑な機構を要することなく、原稿のサイズを検出することができる。
【００４３】
なお、上記の実施の形態においては、二回の原稿サイズの検出結果を用いて、原稿サイズを確定することにしたが、これに限らず、二回以上の原稿サイズの検出結果に基づいて、原稿サイズを確定することにしてもよい。また、遮光板３３や発光部３４ａおよび受光部３４ｂの位置を変更し、受光部３４ｂにより検出された光量が所定の量よりも多くなると、一回目の原稿サイズの検出を行い、受光部３４ｂにより検出された光量が所定の量よりも少なくなると、二回目の原稿サイズの検出を行うことにしてもよい。さらに、画像読取装置２３には、光センサ３２を複数設けてもよい。
【００４４】
また、遮光板３３は、原稿押さえ２５に連動して上下方向に移動することにしたが、これに限らず、遮光板３３は、原稿押さえ２５に連動して前後方向に移動するよう構成してもよい。
【００４５】
なお、上記の実施の形態においては、光学ユニット２６は、副走査方向に移動しながら、原稿の画像を読取り、原稿のサイズを検出することにしたが、これに限らず、載置台２４の下部の任意の位置に配置された複数の光学センサを用いて、原稿のサイズを検出することにしてもよい。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００４７】
【図１】この発明の一実施形態に係るデジタル複合機の全体構成を示すブロック図である。
【図２】画像読取装置を上方向から見た概略図である。
【図３】図２に示す画像読取装置を横方向から見た概略図である。
【図４】光センサの構成を示す概略斜視図である。
【図５】図４に示す光センサを上方向から見た図である。
【図６】原稿サイズを検出する際の制御部の動作を示すフローチャートである。
【図７】一回目の原稿サイズを検出する際の画像読取装置を示す図である。
【図８】図７に示す状態における光センサを示す図である。
【図９】二回目の原稿サイズを検出する際の画像読取装置を示す図である。
【図１０】図９に示す状態における光センサを示す図である。
【符号の説明】
【００４８】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２  パソコン、２３  画像読取装置、２４  載置台、２５  原稿押さえ、２６  光学ユニット、２７  止め具、２８  原稿押さえ面、３１  棒状部材、３２  光センサ、３３  遮光板、３４ａ  発光部、３４ｂ  受光部、３５ａ  発光素子、３５ｂ  受光素子、３６  コイルバネ、３７  ガイド部、３８  取付け部、３９ａ  上方端部、３９ｂ  下方端部。
【図１】
2008219339.tif 000003
【図２】
2008219339.tif 000004
【図３】
2008219339.tif 000005
【図４】
2008219339.tif 000006
【図５】
2008219339.tif 000007
【図６】
2008219339.tif 000008
【図７】
2008219339.tif 000009
【図８】
2008219339.tif 000010
【図９】
2008219339.tif 000011
【図１０】
2008219339.tif 000012